(57)【要約】      （修正有）【課題】動力源が不要かつ簡易な構成で、部品を傷つけることなく、単純な操作で確実に所定個数の部品を取り出すことのできる、廉価なリング状部品取り出し装置を提供する。【解決手段】基台２と、複数のリング状部品９を挿通し滑らせて整列させるとともに、下方端部にストッパー６１をもち、基台２に対し傾斜して配設される保持アーム３と、所定個数のリング状部品９を持ち上げてストッパー６１を乗り越えさせる切り出し部４１と、乗り越えたリング状部品９を受け止める受け取り部４６とをもち、保持アーム３に揺動自在に軸支される切り出しレバーと、切り出しレバーが常態位置にあるとき受け取り部４６に当接してリング状部品９を保持し、切り出しレバーが動作したとき受け取り部４６から離隔してリング状部品９の取り出しを可能とし、基台２に配設される保持バー５と、を備える。【選択図】図１
2006205322.tif 000002
【特許請求の範囲】
【請求項１】
基台と、
複数のリング状部品を挿通し滑らせて整列させるとともに、下方端部にストッパーをもち、該基台に対し傾斜して配設される保持アームと、
所定個数の該リング状部品を持ち上げて該ストッパーを乗り越えさせる切り出し部と、乗り越えた該リング状部品を受け止める受け取り部とをもち、該保持アームに揺動自在に軸支される切り出しレバーと、
該切り出しレバーが常態位置にあるとき該受け取り部に当接して該リング状部品を保持し、該切り出しレバーが動作したとき該受け取り部から離隔して該リング状部品の取り出しを可能とし、該基台に配設される保持バーと、
を備えることを特徴とするリング状部品取り出し装置。
【請求項２】
前記所定個数は１個である請求項１に記載のリング状部品取り出し装置。
【請求項３】
前記切り出し部は、前記リング状部品を前記所定個数だけ分ける区分爪と、前記ストッパーよりも上方に突出して該リング状部品の移動を保留する保留爪と、をもつ請求項１または２に記載のリング状部品取り出し装置。
【請求項４】
前記リング状部品は切り欠け部を有し、該切り欠け部を揃えて該リング状部品を整列させる案内アームを基台に備える請求項１〜３のいずれかに記載のリング状部品取り出し装置。
【請求項５】
前記リング状部品はスナップリングである請求項１〜４のいずれかに記載のリング状部品取り出し装置。
【発明の詳細な説明】
【技術分野】
【０００１】
本発明は、リング状部品を所定個数切り分けて取り出す装置に関する。
【背景技術】
【０００２】
自動車部品などを生産する組立ラインでは、多数のワークへの部品組付け作業を繰り返して行う場合が多い。このとき、多数の部品を前もって準備した後は、限られた時間内で毎回の作業を終えることが必要になってくる。この作業を効率化するために、所定個数の部品を区分して、取り出しを容易にする部品取り出し装置が従来から用いられている。
【０００３】
例えば、円筒内周面あるいは外周面の溝に組み付けられるスナップリングの取り出しには、筒形の整列機が用いられている。この整列機は、立設された筒形容器の上端側の開口部から多数のスナップリングを重ねて入れ、下端側で径方向に押し出して取り出す構造となっている。この他にも、各種の部品取り出し装置が部品形態にあわせて実用化されており、一例としては、振動を与えることにより重なり合った部品を分離して、取り出しやすくしたものがある。また、簡易な装置の例として、特許文献１に部品の取り出し装置が開示されている。特許文献１では、往復動により部品を送り出す部品送り出し手段と、部品を所定方向に揃えて保持する保持部材とを備えて、長辺部と短辺部とをもつ部品が１個ずつ取り出されるようになっている。
【特許文献１】特開２００３−３４０６５５号公報
【発明の開示】
【発明が解決しようとする課題】
【０００４】
しかしながら、筒形の整列機は、部品の収容量が多いと下端側で取り出す際に大きな力が必要になり、スムーズに取り出せない場合がある。また部品同士が摩擦接触して傷つき、品質を低下させてしまう懸念があった。部品に振動を加える装置では振動を発生する機構部が必要であり、概して装置が大がかりになっていた。このため、設備投資費用がかさみ、また多種の部品を使用する場合には設置スペースの確保が難しくなり、動力源の制約もあった。特許文献１の簡易な装置でも、部品の往復動に動力源が必要である。さらに、これらの装置においても、部品が傷つき品質を低下させてしまう懸念は解消されていない。
【０００５】
本発明は、上記背景に鑑みてなされたものであり、動力源が不要かつ簡易な構成で、部品を傷つけることなく、単純な操作で確実に所定個数の部品を取り出すことのできる、廉価なリング状部品取り出し装置を提供する。
【課題を解決するための手段及び発明の効果】
【０００６】
本発明のリング状部品取り出し装置は、基台と、複数のリング状部品を挿通し滑らせて整列させるとともに、下方端部にストッパーをもち、該基台に対し傾斜して配設される保持アームと、所定個数の該リング状部品を持ち上げて該ストッパーを乗り越えさせる切り出し部と、乗り越えた該リング状部品を受け止める受け取り部とをもち、該保持アームに揺動自在に軸支される切り出しレバーと、該切り出しレバーが常態位置にあるとき該受け取り部に当接して該リング状部品を保持し、該切り出しレバーが動作したとき該受け取り部から離隔して該リング状部品の取り出しを可能とし、該基台に配設される保持バーと、を備えることを特徴とする。なお、前記所定個数は１個であってもよい。
【０００７】
基台は、装置全体及び部品の荷重を支持する部位であり、保持アームと保持バーとが配設されている。保持アームには、例えば棒状部材を用いることができ、基台に対し高い位置に傾斜して配設される。傾斜角度は、リング状部品が重力にひかれてゆっくり滑ってゆく程度が好ましい。保持アームの下方端部には、リング状部品が滑る高さよりも突出したストッパーが付設されている。
【０００８】
保持アームに揺動自在に軸支される切り出しレバーは、切り出し部と受け取り部とをもっている。切り出しレバーが常態位置から揺動すると、切り出し部は保持アームの下方から上方へ動作し、受け取り部は上方から下方へ動作するように構成されている。この動作を行わせるために、切り出しレバー全体の重心は軸支位置よりも切り出し部側に設けらることが好ましい。切り出し部は、下方から上方への動作により、並んでいるリング状部品をストッパーよりも高く持ち上げられるように形成されている。受け取り部は、ストッパーを乗り越えたリング状部品を受け止めるように形成されている。
【０００９】
保持バーは、切り出しレバーの受け取り部に当接するように、基台に立設することができる。また、受け取り部が保持バーに当接して常態位置が保たれ、切り出しレバーが揺動して受け取り部が保持バーから離隔するように構成することができる。
【００１０】
次に、上述のように構成された本発明のリング状部品取り出し装置の操作方法、及び作用について説明する。まず、前もって、保持アームに多数のリング状部品を挿通させておく。すると、リング状部品は滑り落ちながら自然に整列し、ストッパーの後ろに順番に並ぶ。このとき、切り出しレバーは常態位置にある。次に、作業者が切り出しレバーを揺動させると、切り出し部が動作して所定個数のリング状部品をストッパーよりも高く持ち上げる。持ち上げられたリング状部品は、ストッパーを乗り越えて移動し、受け取り部で受け止められる。このとき、切り出しレバーは常態位置に戻り、受け取り部は保持バーに当接して、受け止めたリング状部品を保持することができる。作業者はリング状部品を持ち、受け取り部を下方に揺動させながら、取り出すことができる。この部品取り出しに操作に連動して、切り出し部は次のリング状部品を持ち上げる動作を行っている。
【００１１】
本発明では、作業者が部品を取り出す一つの作業を行うと同時に所定個数の部品の切り出しが自動的に行え、次の取り出しの準備が完了する。したがって、作業効率はきわめて良好である。
【００１２】
前記切り出し部は、前記リング状部品を前記所定個数だけ分ける区分爪と、前記ストッパーよりも上方に突出して該リング状部品の移動を保留する保留爪と、をもつことが好ましい。
【００１３】
より確実に所定個数の部品を切り出すため、切り出し部に区分爪を設けることが好ましい。区分爪の位置は、リング状部品の所定個数分の寸法に相当するストッパーから一定の距離の位置が適当である。また、区分爪の形状は、例えば切り出し部の上側に、上方に突出したエッジを設けて形成することができる。区分爪は、所定個数の部品とその次に並ぶ部品との間に入り込んで両者を確実に切り分けるように動作する。
【００１４】
より確実に部品を移動させるため、切り出し部に保留爪を設けることが好ましい。保留爪の位置は、ストッパーと軸支部分との中間が適当である。また、保留爪の形状は区分爪と同様、上方に突出したエッジにより形成することができる。保留爪は、切り出しレバーが動作した状態で、ストッパーよりも上方に突出することが必要である。このとき、保留爪は、ストッパーを乗り越えてきた部品を一時的に保留して、受け取り部に移動することを防止している。切り出しレバーが常態位置に戻ると、保留爪はストッパーよりも下がり、部品が受け取り部に移動するようになる。保留爪の作用により、ストッパーを乗り越えた部品の移動が整然と行える。これにより、既に受け取り部で保持されている部品と移動する部品とが混じって取り出される操作ミスを、確実になくすことができる。
【００１５】
前記リング状部品は切り欠け部を有し、該切り欠け部を揃えて該リング状部品を整列させる案内アームを基台に備えることが好ましい。前記リング状部品はスナップリングであってもよい。
【００１６】
例えば、スナップリングのように切り欠け部を有するリング状部品では、切り欠け部の位置を揃えられることが好ましい。なぜならば、切り欠け部が保持アームに当たると部品が落下したり、整列できなくなるおそれがあるからであり、作業者にとっても同じ位置のほうが作業が容易になるからである。したがって、例えば保持アームの下方に、保持アームと並行する案内アームを設けることが好ましい。案内アームは切り欠け部に当接して部品の回転を防止しつつ、傾斜方向への移動は妨げないように配設することができる。
【００１７】
本発明のリング状部品取り出し装置は、動力源を必要としない。にもかかわらず、部品を取り出す一つの単純な操作で、同時に所定個数の部品を確実に切り出すことができる。また、部品は傾斜した保持アームを滑るだけで、振動などの外力や摩擦接触は生じないため、傷つくリスクも小さい。さらに、装置構成は簡易であり、廉価なリング状部品取り出し装置を提供することができる。
【発明を実施するための最良の形態】
【００１８】
本発明を実施するための最良の形態を、図１〜図５を参考にして詳細に説明する。図１は本発明の実施例のスナップリングを１個ずつ取り出す部品取り出し装置１を示す説明図である。部品取り出し装置１は、基台２、保持アーム３、切り出しレバー４、保持バー５、案内アーム６、により構成されている。なお、スナップリングは、切り欠け部をもち、縮径方向あるいは拡径方向に弾性を有するリング状の部品９である。
【００１９】
基台２は、部品取り出し装置１及び保持される部品９の荷重を支持するとともに、装置を安定して据え置くためのものである。したがって、堅固でかつ重量のある、例えば金属製の形鋼などで形成されている。基台２の後部（図１の右側）には鉛直上方に向けて支柱２１が立てられている。支柱２１の上端から前方（図１の左側）に向けて、下方に傾斜した保持アーム３が設けられている。
【００２０】
保持アーム３は同じ高さで並行する２本の棒材３１、３２により構成されている。一方の棒材３１は前方で屈折して他方の棒材３２との間隔が狭まり、下方端では一つに会している。棒材３１、３２の傾斜角度は、保持する部品９が重力にひかれてゆっくり滑ってゆく程度にされている。なお、保持アーム３は、部品９の切り欠け部を下方にして挿通し、保持する。棒材３２の下方寄り上側には、上向きに楔状に突出したストッパー３３が設けられている。ストッパー３３より下方側の２本の棒材３１、３２の間には、切り出しレバー４を軸支するための軸部３４が、架け渡されている。
【００２１】
切り出しレバー４は、切り出し部４１と受け取り部４６とからなっている。切り出し部４１は、軸部３４に揺動自在に軸支されて、２つの棒材３１、３２の間で後方に延設され、上下に動作できるようになっている。切り出し部４１の上面には、上向きに突出した区分爪４２と保留爪４３とが配設されている。区分爪４２は、ストッパー３３よりも部品９一つぶんだけ後方に配設され、上方に動作する途中で部品９間に割り込んで切り分けるようになっている。切り出し部４１が完全に上方まで動作すると、切り分けられた部品９はストッパー３３よりも高く持ち上げられるようになっている。保留爪４３は、ストッパー３３よりも前方に配設され、完全に上方まで動作するとストッパー３３よりも高く突出するようになっている。
【００２２】
受け取り部４６は、切り出し部４１と一体に形成され、前方に延設されている。したがって、切り出し部４６は、受け取り部４６の上下動とは反対方向に、シーソーの如く動作する。また、受け取り部４６は、棒材３１、３２の下方端よりも前方にまで延び、ストッパー３３を乗り越えてきた部品９を受け止められるようになっている。
【００２３】
切り出しレバー４の切り出し部４１の後方端には、錘４４が吊り下げられている。錘４４は、受け取り部４６を含む切り出しレバー４全体の重心を、切り出し部４１側に寄せる役割を果たしている。これにより、外力の働かない状態では、切り出し部４１は下がり、受け取り部４６は上がった常態位置となる。
【００２４】
保持バー５は、基台２の前方から延設されて、揺動する受け取り部４６の上側に当接して常態位置を決めている。保持バー５が受け取り部４６に当接して部品９は保持され、作業者の取り出しを待つ状態となる。そして、保持バー５は、受け取り部４６が下方に動作すると離隔するように形成され、離隔した隙間から部品９が取り出せるようになっている。
【００２５】
案内アーム６には２本の角棒材が用いられ、基台２の上面に、保持アーム３と並行して配設されている。保持アーム３により部品９が切り欠け部を下方にして保持されるとき、案内アーム６は切り欠け部に当接して位置が揃うようになっている。また、案内アーム６の前方端にはストッパー６１が設けられ、保持アーム３側のストッパー３３と協調して、部品９を保持するようになっている。そして、部品９が持ち上げられたとき、両者のストッパー３３、６１がほぼ一緒に外れるように構成されている。
【００２６】
次に、実施例の部品取り出し装置１の操作方法、及び作用について説明する。まず、多数の部品９の切り欠け部を下にして、保持アーム３に後方から載せる。すると、部品９は保持アーム３に保持されて、傾斜に沿って滑りながら整列する。図２は、部品９を保持した状態の説明図であり、部品取り出し装置１の中央断面を示している。図２に示されるように、部品９は保持アーム３側及び案内アーム６側のストッパー３３、６１の後ろに、整列して並んだ状態となる。このとき、切り出しレバー４は常態位置にあるため、区分爪４２は部品９が滑ることを妨げない。
【００２７】
次に、作業者が受け取り部４６を押下すると、切り出し部４１が上方に動作して、先頭の部品９１を１個だけ切り出すことができる。図３は切り出しの過程を詳細に説明する切り出し部４１付近の拡大図である。図３の（ａ）〜（ｄ）は時系列に進行する動作を示している。（ａ）は部品９を保持した状態であり、先頭の部品９１がストッパー３３に当接している。ここで、切り出し部４１が上方に動作すると（ｂ）の状態に進み、区分爪４２が先頭の部品９１と二番目の部品９２との間に割り込んで切り分け、先頭の部品９１だけをストッパー３３よりも高く持ち上げる。先頭の部品９１はストッパー３３を乗り越えて移動し、突出している保留爪４３に保持されて（ｃ）の状態となる。切り出し部４１が下方の常態位置に戻ると、保留爪４３も下がって（ｄ）の状態となり、先頭の部品９１は解放されて前方に移動してゆく。ストッパー３３には、二番目の部品９２が当接した状態になる。
【００２８】
上述の一連の動作により、先頭の部品９１が切り出されストッパー３３を乗り越えて移動し、受け取り部４６に受け止められて図４に示す状態となる。図４は先頭の部品９１を切り出した状態であり、受け取り部４６は常態位置にあって保持バー５に当接し、先頭の部品９１を保持している。保持アーム３側では、先頭の部品９１がなくなり、二番目の部品９２が先頭になって並んでいる。
【００２９】
次いで、図５に示されるように、作業者は先頭の部品９１を持ち押下することにより、受け取り部４６を下げて、取り出すことができる。このとき、切り出し部４１も一緒に動作して二番目の部品９２の切り出しが同時に行える。その後、受け取り部４６が常態位置に戻って、二番目の部品９２が保持される。以降の操作も同様であり、作業者が部品９を取り出すワンアクションだけで、部品９の切り出しを順次行うことができる。
【００３０】
実施例の部品取り出し装置１は、複雑な部品は使わない簡素な構成で、動力源が不要であり、机上設置できるほどに小形で、操作は簡単であり、部品を傷つけることもなく、従来よりも格段に優れた装置である。
【図面の簡単な説明】
【００３１】
【図１】本発明の実施例の部品取り出し装置を示す説明図である。
【図２】図１の実施例で、部品を保持した状態を説明する図である。
【図３】図１の実施例で、部品を切り出す過程を説明する、切り出し部付近の拡大図である。
【図４】図１の実施例で、部品を切り出した状態を説明する図である。
【図５】図１の実施例で、部品を取り出す操作を説明する図である。
【符号の説明】
【００３２】
１：部品取り出し装置
２：基台                    ２１：支柱
３：保持アーム
３１、３２：棒材      ３３：ストッパー      ３４：軸部
４：切り出しレバー
４１：切り出し部      ４２：区分爪          ４３：保留爪
４４：錘              ４６：受け取り部
５：保持バー
６：案内アーム              ６１：ストッパー
９：部品（スナップリング）
９１：先頭の部品      ９２：二番目の部品
【図１】
2006205322.tif 000003
【図２】
2006205322.tif 000004
【図３】
2006205322.tif 000005
【図４】
2006205322.tif 000006
【図５】
2006205322.tif 000007